(57)【要約】【課題】外部電源からの給電時のバッテリーの消耗を心配する必要がない状況においても、ユーザーの煩雑な再設定なしに、インターネット網からのデータ取得のリアルタイム性を向上できる通信端末装置を提供する。【解決手段】駆動電力を供給するバッテリー電源を内部に備えた通信端末装置であって、外部電源から給電されているかを判別する給電元電源判別部１０３と、給電元電源判別部１０３の判定結果に基づいて、通信端末装置で動作するアプリケーションソフトウェアが外部サーバから定期的に情報を取得する通信間隔の時間情報を変更する定期通信間隔変更部１０６を備える。【選択図】図１
2013065996.tif 000002
【特許請求の範囲】
【請求項１】
駆動電力を供給するバッテリー電源を内部に備えた通信端末装置であって、外部電源から給電されているかを判別する給電元電源判別部と、前記給電元電源判別部の判定結果に基づいて、前記通信端末装置で動作するアプリケーションソフトウェアが外部サーバから定期的に情報を取得する通信間隔の時間情報を変更する定期通信間隔変更部を備えた通信端末装置。
【請求項２】
前記外部電源から給電されている場合の第１の時間情報と、前記バッテリー電源から給電されている場合の第２の時間情報を記憶する定期通信間隔時間情報記憶部を備え、前記第１の時間情報は前記第２の時間情報より短く設定されており、前記定期通信間隔変更部は、前記給電元電源判別部の判定結果に基づいて、前記第１の時間情報または前記第２の時間情報を前記定期通信間隔時間情報記憶部から読み出して、前記アプリケーションソフトウェアの時間情報を変更することを特徴とする請求項１に記載の通信端末装置。
【請求項３】
駆動電力を供給するバッテリー電源を内部に備えた通信端末装置で動作するアプリケーションソフトウェアが外部サーバから定期的に情報を取得する通信間隔の時間情報を設定する方法であって、外部電源から給電されているかを判別する給電元電源判別ステップと、前記給電元電源判別ステップの判定結果に基づいて、前記時間情報を変更する定期通信間隔変更ステップとを含む時間情報設定方法。
【請求項４】
請求項３に記載の時間情報設定方法をコンピュータに実行させるプログラム。
【発明の詳細な説明】
【技術分野】
【０００１】
本発明は、スマートフォンなどのバッテリーを内蔵した通信端末装置に関し、特に通信端末装置で動作するアプリケーションソフトウェアが外部サーバから定期的に情報を取得する通信間隔の時間情報を自動で設定できる通信端末装置および時間情報設定方法に関するものである。
【背景技術】
【０００２】
スマートフォンや高機能携帯電話などで、インターネット網を介して、サーバから定期的にデータを取得するソフトウェアを内蔵する通信端末装置が増えている。データの取得頻度を上げれば、データのリアルタイム性が高まるが、通信頻度が上がることによりバッテリーの消耗が大きくなるため、通常ユーザーは、１時間に１回程度以下のデータ取得になるようにソフトウェアの設定を行い、バッテリーの極端な消耗を抑えている。
【０００３】
また、コンテンツのダウンロードを外部電源から給電中に行うことで、バッテリーの消耗を低減するシステムが提案されている（例えば、特許文献１参照）。
【先行技術文献】
【特許文献】
【０００４】
【特許文献１】特開２００６−１４０９７７号公報
【発明の概要】
【発明が解決しようとする課題】
【０００５】
スマートフォンなどの通信端末装置は、通常用途としては、内蔵するバッテリーから電源供給を受ける状況で使用されるが、バッテリーの消耗を抑えるため、定期的にインターネット網に通信するアプリケーションソフトウェアの通信間隔を広げて使わざるを得ず、リアルタイム性が低い状態で使用されることが多い。近年、自動車内で車載端末と接続して使用する形態時には、ＵＳＢケーブル等から給電しながら使われる機会が増えており。このようなバッテリーの消耗を心配する必要がない状況においても、ユーザーが個別に定期通信の設定を変更しない限り、リアルタイム性は低いままであった。
【０００６】
本発明は従来の課題を解決するためになされたもので、ユーザーの煩雑な再設定なしに、インターネット網からのデータ取得のリアルタイム性を向上することができる通信端末装置および時間情報設定方法を提供することを目的とする。
【課題を解決するための手段】
【０００７】
上記目的を達成するために本発明の第１の局面は、駆動電力を供給するバッテリー電源を内部に備えた通信端末装置に向けられており、外部電源から給電されているかを判別する給電元電源判別部と、給電元電源判別部の判定結果に基づいて、通信端末装置で動作するアプリケーションソフトウェアが外部サーバから定期的に情報を取得する通信間隔の時間情報を変更する定期通信間隔変更部を備える。
【０００８】
また、外部電源から給電されている場合の第１の時間情報と、バッテリー電源から給電されている場合の第２の時間情報を記憶する定期通信間隔時間情報記憶部を備え、第１の時間情報は第２の時間情報より短く設定されており、定期通信間隔変更部は、給電元電源判別部の判定結果に基づいて、第１の時間情報または第２の時間情報を定期通信間隔時間情報記憶部から読み出して、アプリケーションソフトウェアの時間情報を変更する。
【０００９】
本発明の第２の局面は、駆動電力を供給するバッテリー電源を内部に備えた通信端末装置で動作するアプリケーションソフトウェアが外部サーバから定期的に情報を取得する通信間隔の時間情報を設定する時間情報設定方法であって、外部電源から給電されているかを判別する給電元電源判別ステップと、前記給電元電源判別ステップの判定結果に基づいて、前記時間情報を変更する定期通信間隔変更ステップとを含む。
【発明の効果】
【００１０】
本発明の通信端末装置および時間情報設定方法によれば、外部電源からの給電時のバッテリー消耗の心配が不要な状態では、ユーザーの煩雑な再設定なしに、インターネット網からのデータ取得のリアルタイム性を向上できるという効果を有する。
【図面の簡単な説明】
【００１１】
【図１】本発明の一実施の形態における通信端末装置のブロック図
【図２】通信端末装置１００の処理の流れを示すフローチャート
【発明を実施するための形態】
【００１２】
以下、本発明の一実施の形態における通信端末装置について図面を用いて説明する。
【００１３】
図１は、本実施の形態の通信端末装置のブロック図を示している。通信端末装置１００は、バッテリー電源１０１、給電スイッチ１０２、給電元電源判別部１０３、定期通信間隔ユーザー設定部１０４、定期通信間隔時間情報記憶部１０５、定期通信間隔変更部１０６、通信アプリ部１０７により構成される。なお、図１には、外部電源２００、外部サーバ３００も併せて記載されている。外部電源２００は、ＡＣアダプタやＵＳＢケーブルの電源ライン等であって、通信端末装置１００に電力を供給する電源である。外部電源２００がワイヤレス給電装置の場合は、通信端末装置１００は電力を受電して直流に変換する受電側デバイスを含むことになる。また、外部サーバ３００は、通信アプリ部１０７が定期的に取得する情報を格納しているサーバである。
【００１４】
バッテリー電源１０１は、通信端末装置１００に内蔵されるリチウム電池等の二次電池で構成され、通信端末装置１００に直流で駆動電力を供給する。
【００１５】
給電スイッチ１０２は、外部電源２００の電源電圧監視回路（図示せず）と、バッテリー電源１０１の電源電圧監視回路（図示せず）を含み、電圧判定結果により、バッテリー電源１０１を給電ラインへ接続または切り離しを行うスイッチで構成される。
【００１６】
給電元電源判別部１０３は、給電スイッチ１０２に含まれる、外部電源２００の電源電圧監視回路の出力を常時監視し、外部電源２００から給電されている状態を検出する。
【００１７】
定期通信間隔ユーザー設定部１０４は、ユーザーが値の入力または選択により、外部電源２００から給電されている状態とバッテリー電源１０３から給電されている状態の２パターンの定期通信間隔の時間情報を設定することを可能とする。
【００１８】
定期通信間隔時間情報記憶部１０５は、定期通信間隔ユーザー設定部１０４でユーザーにより設定された時間情報を記憶する。
【００１９】
定期通信間隔変更部１０６は、給電元電源判別部１０３の判別結果に基づいて、外部電源２００から給電されている状態またはバッテリー電源１０１から給電されている状態のいずれかの時間情報を、定期通信間隔時間情報記憶部１０５から読み出して、通信アプリ部１０７に設定する。
【００２０】
通信アプリ部１０７は、通信端末装置１００が備える無線通信手段（図示せず）によりインターネット網から外部サーバ３００に接続し、格納されている情報を、定期通信間隔変更部１０６により設定された時間情報の間隔で定期的に取得するアプリケーションソフトウェアである。
【００２１】
次に、本実施の形態における通信端末装置の動作について図２のフローチャトを用いて説明する。給電元電源判別部１０３は、給電スイッチ１０２の電源電圧監視回路を監視して、外部電源２００から通信端末装置１００への給電に変更があったかを検出する（ステップＳ１０）。新たに外部電源２００が接続されて給電される、もしくは接続が外されて給電がなくなるなどの変更があった場合（ステップＳ１０でＹｅｓ）はステップＳ１１に進み、変更がない場合（ステップＳ１０でＮｏ）は処理を元に戻す。
【００２２】
ステップＳ１１では、給電元電源判別部１０３は、給電スイッチ１０２の電源電圧監視回路を監視して、外部電源２００から給電されたかどうかを検出する。外部電源２００から給電された場合（ステップＳ１１でＹｅｓ）には、外部電源２００から給電されていることを示す信号をアクティブにする（ステップＳ１２）。一方、外部電源２００からの給電がなくなった場合（ステップＳ１１でＮｏ）には、外部電源２００から給電されていることを示す信号をインアクティブにする（ステップＳ１３）。
【００２３】
次に、給電元電源判別部１０３は、信号がアクティブに切り替わったことを検出して（ステップＳ１４）、定期通信間隔変更部１０６に送る。定期通信間隔変更部１０６は、定期通信間隔時間情報記憶部１０５に記憶されている外部電源２００からの給電時用の定期通信間隔の時間情報（外部電源用時間情報）を読み出す（ステップＳ１５）。
【００２４】
一方、外部電源２００からの給電がなくなって、信号がインアクティブの場合（ステップＳ１４でＮｏ）、定期通信間隔変更部１０６は、定期通信間隔時間情報記憶部１０５に記憶されているバッテリー電源１０１からの給電時用の定期通信間隔の時間情報（バッテリー用時間情報）を読み出す（ステップＳ１６）。
【００２５】
次に、定期通信間隔変更部１０６は読み出した外部電源用時間情報またはバッテリー用時間情報を通信アプリ部１０７に設定する（ステップＳ１７）。通信アプリ部１０７は、新たに設定された時間情報に基づいて外部サーバ３００と定期通信を行う（ステップＳ１８）。
【００２６】
以上、説明したように本実施の形態の通信端末装置は、外部電源２００からの給電を監視して、給電に変更があった場合に通信アプリ部１０７の定期通信間隔の時間情報を変更する。
【００２７】
なお、定期通信間隔ユーザー設定部１０４は、通信端末装置１００のユーザーによって、定期通信間隔時間情報を更新された場合、定期通信間隔時間情報記憶部１０５の該当情報を更新し記憶させる。外部電源２００からの給電時用の定期通信間隔の時間情報（外部電源用時間情報）は、バッテリー電源１０１からの給電時用の定期通信間隔の時間情報（バッテリー用時間情報）より短く設定されている。そのため、本実施の形態の通信端末装置１００は外部電源２００から給電されている場合には、より高い頻度でデータを取得する様に自動で変更され、リアルタイム性を向上することができる。
【００２８】
また、外部電源２００からの給電がなくなって、バッテリー電源１０１からの給電に変更された場合、通信アプリ部１０７の時間情報はより長いバッテリー用時間情報に自動で変更されるため、ユーザーは意識することなくバッテリー電源１０１の消耗を軽減させることができる。
【００２９】
また、本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００３０】
さらに、本発明は、上記コンピュータプログラム又は上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray  Disc（登録商標））、ＵＳＢメモリ、ＳＤカードなどのメモリカード、半導体メモリなどに記録したものとしてもよい。また、これらの記録媒体に記録されている上記デジタル信号であるとしてもよい。
【００３１】
また、本発明は、上記コンピュータプログラム又は上記デジタル信号を、電気通信回線、無線又は有線通信回線、インターネットを代表とするネットワーク、データ放送等を経由して伝送するものとしてもよい。
【００３２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしてもよい。
【００３３】
また、上記プログラム又は上記デジタル信号を上記記録媒体に記録して移送することにより、又は上記プログラム又は上記デジタル信号を上記ネットワーク等を経由して移送することにより、独立した他のコンピュータシステムにより実施するとしてもよい。
【００３４】
今回開示された実施の形態はすべての点で例示であって制限的なものではない。本発明の範囲は上記した説明ではなくて特許請求の範囲によって示され、特許請求の範囲と均等の意味及び範囲内でのすべての変更が含まれる。
【産業上の利用可能性】
【００３５】
本発明の通信端末装置は、外部電源からの給電時のバッテリー消耗の心配が不要な状態では、ユーザーの煩雑な再設定なしに、インターネット網からのデータ取得のリアルタイム性を向上できるという効果を有し、車両電源から給電して車載機器と連携させて使用できるスマートフォンや携帯端末などの通信端末装置等として有用である。
【符号の説明】
【００３６】
１００    通信端末装置
１０１    バッテリー電源
１０２    給電スイッチ
１０３    給電元電源判別部
１０４    定期通信間隔ユーザー設定部
１０５    定期通信間隔時間情報記憶部
１０６    定期通信間隔変更部
１０７    通信アプリ部
２００    外部電源
３００    外部サーバ
【図１】
2013065996.tif 000003
【図２】
2013065996.tif 000004